(57)【要約】【課題】  液晶パネルをホルダ内に収納してなる液晶表示装置において、モジュールの厚み増を伴うことなく液晶パネルをホルダ内に作業性よく永年にわたって確実に固定できるようにする。【解決手段】  液晶パネル１をホルダ４のパネル収納凹部４１内に収納してなる液晶表示装置において、パネル収納凹部４１内における液晶パネル１の固定手段を、液晶パネル１に貼着される２枚の偏光板２１，２２の少なくとも一方の偏光板の一部分を液晶パネルの外側に向けて舌片状に突出させてなる係止片２２１〜２２４と、パネル収納凹部４１側に設けられた係止片受け（例えばスリット）４８〜５１との組み合わせとする。【選択図】  図１
2005242047.tif 000002
【特許請求の範囲】
【請求項１】
表示観察面側および／または反表示観察面側に貼着された偏光板を含む液晶パネルと、上記液晶パネルが収納されるパネル収納凹部を有するホルダと、上記パネル収納凹部内に上記液晶パネルを固定するパネル固定手段とを備えている液晶表示装置において、
上記パネル固定手段が、少なくとも一方の上記偏光板の一部分を上記液晶パネルの外側に向けて突出させてなる係止片と、上記パネル収納凹部側に設けられた係止片受けとの組み合わせからなることを特徴とする液晶表示装置。
【請求項２】
上記係止片が上記反表示観察面側の偏光板に形成されている請求項１に記載の液晶表示装置。
【請求項３】
上記係止片は上記偏光板の対向する２対の辺のうち、少なくとも一方の対をなす各辺に設けられている請求項１または２に記載の液晶表示装置。
【請求項４】
上記係止片受けが上記パネル収納凹部を囲む側壁に形成される係止溝からなる請求項１，２または３に記載の液晶表示装置。
【請求項５】
上記係止片受けが上記パネル収納凹部内に立設される係止フックからなる請求項１，２または３に記載の液晶表示装置。
【発明の詳細な説明】
【技術分野】
【０００１】
本発明は液晶パネルをホルダ内に収納してなる液晶表示装置に関し、さらに詳しく言えば、そのホルダ内における液晶パネルの固定手段に関するものである。
【背景技術】
【０００２】
液晶パネルを液晶表示装置として組み立てるにあたっては、液晶パネルの端子部にＣＯＦ（Ｃｈｉｐ  Ｏｎ  Ｆｉｌｍ）やＴＣＰ（Ｔａｐｅ  Ｃａｒｒｉｅｒ  Ｐａｃｋａｇｅ）などのフレキシブル基板を接続してから、落下などの外部衝撃から保護するため例えば合成樹脂製のホルダ内に収納するようにしている。
【０００３】
その一例を模式図である図５の平面図および図６の断面図により説明する。液晶パネル１は第１および第２の２枚の透明電極基板１１，１２を図示しない周辺シール材を介して圧着してなり、その表面側の表示観察面１ａと裏面側の反表示観察面１ｂにそれぞれ偏光板２１，２２が貼着されている。ちなみに、モノクロ表示の場合、偏光板２１，２２の各偏光軸の角度的な組み合わせにより背景色がノーマリーホワイトモード，ノーマリーブラックモードのいずれかが選択される。
【０００４】
図示の例においては、裏面側の第２透明電極基板１２に端子部１３が連設されており、この端子部１３に上記ＣＯＦやＴＣＰなどのフレキシブル基板３が接続され、この状態で液晶パネル１がホルダ４内に収納される。
【０００５】
この例において、ホルダ４はバックライト収納部４０とパネル収納凹部４１とを備え、その全体が合成樹脂から作られている。図示しないが、バックライト収納部４０にはＬＥＤなどの光源や導光板などが収納される。なお、液晶パネル１が反射型の場合にはバックライト収納部４０は不要で、ホルダ４はパネル収納凹部４１のみを備えることになる。
【０００６】
パネル収納凹部４１はバックライト収納部４０の上側に配置されていて、底板４２とその４辺から立設された側枠４３〜４６とにより形成されている。底板４２にはバックライトからの光を液晶パネル１に照射するための窓４２１が開口されている。また、側枠４３〜４６のうち液晶パネル１の端子部１３と対向する側枠４３にはフレキシブル基板３を引き出すための開口部４７が設けられている。
【０００７】
液晶パネル１をパネル収納凹部４１に収納するにあたって液晶パネル１を固定する必要がある。その固定方法にはいくつかの方法が知られているが、そのひとつとしてここで図示する両面テープによる固定方法がある。すなわち、両面粘着テープＴを例えば底板４２の窓４２１の周りに配置しその上に液晶パネル１を貼り付けてパネル収納凹部４１内に固定する。
【０００８】
別の固定方法として、ホルダの側枠にパネル係止爪やフックなどの係止手段を設け、液晶パネルの上面をパネル係止爪で係止したり、液晶パネルの端子部の上面および側面に対してフックを係合させて液晶パネルをホルダ内に固定させるような方法もある（下記特許文献１参照）。
【０００９】
【特許文献１】特開２００２−２５８２４６号公報
【発明の開示】
【発明が解決しようとする課題】
【００１０】
しかしながら、両面粘着テープによる場合には次のような問題がある。すなわち、携帯電話機用途などで液晶表示装置の配置スペースが限られている場合、液晶パネル１をパネル収納凹部４１内に固定したのち、図６に示すようにフレキシブル基板３はホルダ４の裏面側に向けてほぼ１８０度折り返され、ホルダ４の裏面側に設けられている図示しない制御回路基板と接続される。
【００１１】
したがって、液晶パネル１にはフレキシブル基板３が戻ろうとする反発力により両面粘着テープＴから剥がれる方向の力が常に加えられ、また、両面粘着テープＴの粘着力も経年的に劣化するため信頼性が低い。
【００１２】
これを解決するには、より強力な粘着力を有する両面粘着テープを使用すればよいのであるが、一般的に高粘着のテープは分厚いためモジュールの薄型化を図るうえで好ましくない。また、両面粘着テープＴを使用する分、部品コストおよび貼着の作業コストもかかるという問題もある。
【００１３】
これに対して、特許文献１に見られるようなパネル係止爪やフックなどの係止手段によれば両面粘着テープのような経年劣化による問題は生じない。しかしながら、この従来例にも次のような問題がある。
【００１４】
すなわち、この種の係止手段は液晶パネルをその上から押さえるものであるため、ホルダの側枠の上面側に設けられる。そのため、その分ホルダ厚みが増すことになりモジュールの薄型化を図るうえで好ましくない。また、外的衝撃などにより液晶パネルがパネル係止爪やフックから外れることもある。
【００１５】
したがって、本発明の課題は、液晶パネルをホルダ内に収納してなる液晶表示装置において、モジュールの厚み増を伴うことなく液晶パネルをホルダ内に作業性よく永年にわたって確実に固定できるようにすることにある。
【課題を解決するための手段】
【００１６】
上記課題を解決するため、本発明は、表示観察面側および／または反表示観察面側に貼着された偏光板を含む液晶パネルと、上記液晶パネルが収納されるパネル収納凹部を有するホルダと、上記パネル収納凹部内に上記液晶パネルを固定するパネル固定手段とを備えている液晶表示装置において、上記パネル固定手段が、少なくとも一方の上記偏光板の一部分を上記液晶パネルの外側に向けて突出させてなる係止片と、上記パネル収納凹部側に設けられた係止片受けとの組み合わせからなることを特徴としている。
【００１７】
本発明には上記係止片が表示観察面側の偏光板に形成される態様も含まれるが、上記係止片は上記反表示観察面側の偏光板に形成されることが好ましい。また、上記係止片の突出方向の長さや幅それに配置する個数は任意に決められてよいが、配置に関しては上記偏光板の対向する２対の辺のうち、少なくとも一方の対をなす各辺に設けられることが好ましい。また、上記係止片受けには上記パネル収納凹部を囲む側壁に形成される係止溝（孔の形態も含む）と、上記パネル収納凹部内に立設される係止フックとが含まれるが、係止溝と係止フックとが併用されてもよい。
【発明の効果】
【００１８】
本発明によれば、液晶パネルに貼着される偏光板を利用して液晶パネルをホルダ内に簡単な作業にて確実に固定することができる。特に、係止片を反表示観察面側の偏光板に形成することにより、それに対応して係止片受けがホルダのパネル収納凹部内に配置されるためホルダの厚みが増やされることもない。
【００１９】
また、従来から必要部品として用いられている偏光板の平面的な大きさだけを変えるだけで済み、両面粘着テープなどの別部品を必要としないことから製品コストを抑えることができる。
【発明を実施するための最良の形態】
【００２０】
次に、本発明を図面に示されているいくつかの実施例に基づいてより詳しく説明するが、本発明はこれに限定されるものではない。図１は第１実施例に係る液晶表示装置を分解して模式的に示す平面図で、図２はその模式的断面図である。なお、以下の説明において先に図５および図６により説明した上記従来例と同一または同一とみなせる構成要素には同一の符号が付されている。
【００２１】
これによると、この液晶表示装置は基本的な構成として、第１および第２の２枚の透明電極基板１１，１２を含む液晶パネル１と、液晶パネル１の端子部１３に接続されるフレキシブル基板３と、液晶パネル１の裏面（反観察面）１ｂ側に配置されるホルダ４とを備えている。
【００２２】
ホルダ４はバックライト収納部４０とパネル収納凹部４１とを含み、その全体が合成樹脂から作られているが、液晶パネル１が反射型の場合にはバックライト収納部４０は不要で、ホルダ４はパネル収納凹部４１のみを備えることになる。パネル収納凹部４１は底板４２とその４辺に立設された側枠４３〜４６とから形成され、そのうちの側枠４３にはフレキシブル基板３を引き出すための開口部４７が設けられている。
【００２３】
この第１実施例において、液晶パネル１に含まれている２枚の基板のうち、第１透明電極基板１１が表示観察面側基板で、第２透明電極基板１２が裏面側（反表示観察面側）基板であり、端子部１３は裏面側の第２透明電極基板１２側に設けられている。すなわち、サイズ的には第２透明電極基板１２の方が第１透明電極基板１１よりも大きく、液晶パネル１は裏面側の第２透明電極基板１２を下にしてホルダ４のパネル収納凹部４１内に配置される。
【００２４】
液晶パネル１の表面（表示観察面）１ａおよび裏面１ｂには偏光板２１，２２がそれぞれ貼り付けられているが、この第１実施例において、液晶パネル１の裏面側１ｂに設けられる偏光板２２には、その長辺側の対向する２辺２２ａ，２２ｂにそれぞれ２つの係止片２２１，２２２と係止片２２３，２２４が形成されている。
【００２５】
係止片２２１，２２２と係止片２２３，２２４は、図１に示すように、長辺側の対向する２辺２２ａ，２２ｂの角部において液晶パネル１の裏面１ｂから外側に向けて突出する舌片状に形成されている。
【００２６】
係止片の突出長さおよび幅は任意に設計されてよく、したがって例えば各辺２２ａ，２２ｂのほぼ全幅にわたって係止片を突出させてもよい。なお、表面１ａ側の偏光板２１は従来どおり液晶パネル１の表示部のみに設けられてよい。
【００２７】
図１および図２に示すように、パネル収納凹部４１の側枠４３には係止片２２１，２２２の相手方（係止片受け）となるスリット４８，４９が形成され、また、側枠４５には係止片２２３，２２４の相手方となるスリット５０，５１が形成されている。これら各スリットは溝もしくは孔のいずれであってもよい。
【００２８】
液晶パネル１をホルダ４内に装着するには、まず、端子部１３にフレキシブル基板３を接続したのち、フレキシブル基板３をホルダ４の開口部４７側に位置させる。そして、偏光板２２の一辺２２ｂ側の係止片２２３，２２４を側枠４５のスリット５０，５１に差し込んだのち、液晶パネル１をパネル収納凹部４１内に押し込む。
【００２９】
このとき、他辺２２ａ側の係止片２２１，２２２は側壁４３に当接して弾性変形し、スリット４８，４９と位置的に相対した時点で弾性復帰してスリット４８，４９内に嵌合する。なお、先に係止片２２１，２２２側をスリット４８，４９内に差し込み、係止片２２３，２２４側を弾性変形させてスリット５０，５１に嵌合させてもよいことはもちろんである。
【００３０】
このようにして、液晶パネル１は係止片２２１〜２２４を介してパネル収納凹部４１内に固定される。なお、上記のようにして液晶パネル１をパネル収納凹部４１内に押し込むようにして収納するうえで、係止片２２１〜２２４の突出長さはできるだけ小さい方が好ましく、一例として０．５〜１．０ｍｍ程度でも十分な固定力が得られる。また、がたつきを防止うるうえで、パネル収納凹部４１の底板４２上に弾性を有するスペーサＳを配置することが好ましい。
【００３１】
次に、図３により本発明の第２実施例について説明する。この第２実施例は端子部１３に接続されるフレキシブル基板３の幅が広く、これに対応して開口部４７が大きくされ側枠４３にスリットを形成できない場合についてのものである。
【００３２】
このような場合には、この第２実施例のように偏光板２２の短辺側の対向する２辺２２ｃ，２２ｄにそれぞれ上記第１実施例と同様に係止片２２１，２２２と係止片２２３，２２４とを形成し、これに対応して相手方となるスリット４８，４９とスリット５０，５１とを側枠４４，４６側に移せばよい。
【００３３】
なお、この第２実施例の変形例として、係止片２２３，２２４は上記第１実施例と同じく長辺側の一辺２２ｂ側に形成し、係止片２２１，２２２のみを短辺側の対向する２辺に形成してもよい。
【００３４】
次に、図４により本発明の第３実施例について説明する。この第３実施例は上記第１実施例とは反対に端子部１３を有する第２透明電極基板１２を表示観察面側基板とし、第１透明電極基板１１を裏面側基板としてパネル収納凹部４１内に配置する場合ついてのものである。
【００３５】
この場合においても、裏面側の第１透明電極基板１１に設けられる偏光板２１の長辺側の対向する２辺に上記第１実施例と同じくそれぞれ係止片２１１，２１２と係止片２１３，２１４とを設け、一方の係止片２１３，２１４と対向する側枠４５にその相手方として上記第１実施例と同様のスリット５０，５１を形成する。
【００３６】
他方の係止片２１１，２１２については側枠４３との間に距離があるため、側枠４３にその相手方となるスリットを形成できない。そこで、この第３実施例においては、パネル収納凹部４１内の係止片２１１，２１２と対向する位置にその係止片受けとして逆Ｌ字状の係止爪５２１を有するフック５２を立設している。
【００３７】
なお、上記第３実施例のように裏面側基板が表示観察面側基板よりも小さい場合、その裏面側基板に貼着される偏光板に上記第２実施例およびその変形例を適用してもよく、これによればパネル収納凹部内にフックを立設する必要がなくなる。
【００３８】
なお、上記各実施例では液晶パネル１の裏面１ｂ側に貼着される偏光板に係止片を設けるようにしているが、本発明はこれに限られることはなく、液晶パネル１の表面１ａ側に貼着される偏光板に上記各実施例で説明した態様にしたがって係止片を形成することもできる。この場合には、その係止片の位置に合わせて対向するホルダ４の側枠に係止片受けを設ければよい。
【図面の簡単な説明】
【００３９】
【図１】本発明の第１実施例に係る液晶表示装置を分解して示す平面図である。
【図２】上記第１実施例に係る液晶表示装置の模式的な断面図である。
【図３】本発明の第２実施例に係る液晶表示装置に含まれる液晶パネルのみを示す平面図である。
【図４】本発明の第３実施例に係る液晶表示装置を示す模式的な断面図である。
【図５】従来例に係る液晶表示装置を分解して示す平面図である。
【図６】従来例に係る液晶表示装置の模式的な断面図である。
【符号の説明】
【００４０】
１  液晶パネル
１１，１２  透明電極基板
１３  端子部
１４  反端子部側
２１，２２  偏光板
２１１〜２１４，２２１〜２２４  係止片
３  フレキシブル基板
４  ホルダ
４１  パネル収納凹部
４２  底板
４３，４４，４５，４６  側枠
４７  開口部
４８，４９，５０，５１  スリット
５２  フック
５２１  係止爪
【図１】
2005242047.tif 000003
【図２】
2005242047.tif 000004
【図３】
2005242047.tif 000005
【図４】
2005242047.tif 000006
【図５】
2005242047.tif 000007
【図６】
2005242047.tif 000008